(57)【要約】      （修正有）【課題】携帯端末で撮像されると携帯端末に所定の情報を提供できる、現実的なマットを提供する。【解決手段】撮像機能付及び撮像情報解析機能付の携帯端末によって撮像可能な一次元コード又は二次元コード３が、表面に付されていることを特徴とする。【選択図】図１
0003196953.tif 000002
【実用新案登録請求の範囲】
【請求項１】
撮像機能付及び撮像情報解析機能付の携帯端末によって撮像可能な一次元コード又は二次元コードが、表面に付されていることを特徴とするマット。
【請求項２】
基布にパイル糸がタフトされてなるマット原反と、
マット原反の裏面に接合されたマット基材と、
を備えており、
一部領域又は全部領域のパイル糸が、一次元コード又は二次元コードを示す模様を表出するように、構成されている、
請求項１記載のマット。
【請求項３】
一次元コード又は二次元コードを示す模様を表出するように、パイル糸が印刷されている、
請求項２記載のマット。
【請求項４】
一次元コード又は二次元コードを示す模様を表出するように、パイル糸が染色されている、
請求項２記載のマット。
【請求項５】
一次元コード又は二次元コードを示す模様を表出するように、白色、黒色、及び有色の内の２色以上のパイル糸が、タフトされている、
請求項２記載のマット。
【請求項６】
基布にパイル糸がタフトされてなるマット原反と、
マット原反の裏面に接合されたマット基材と、
を備えており、
マット原反の一部領域が切除されており、
切除された領域から、マット基材の表面が露出しており、
その露出した表面領域に、一次元コード又は二次元コードを示す模様が付されている、
請求項１記載のマット。
【請求項７】
一次元コード又は二次元コードを示す模様が、前記表面領域に、印刷されている、
請求項６記載のマット。
【請求項８】
一次元コード又は二次元コードを示す模様が、前記表面領域に、刻まれている、
請求項６記載のマット。
【請求項９】
一次元コードがバーコードである、
請求項１〜８のいずれか一つに記載のマット。
【請求項１０】
二次元コードがＱＲコード（登録商標）である、
請求項１〜８のいずれか一つに記載のマット。
【請求項１１】
二次元コードが、マットが敷設された客体又はマットを敷設した主体の、インターネット上のホームページへのアクセス情報を、含んでいる、
請求項１〜８のいずれか一つに記載のマット。
【考案の詳細な説明】
【技術分野】
【０００１】
本考案は、携帯端末で撮像されると携帯端末に所定の情報を提供できるマットに関する。
【背景技術】
【０００２】
マット表面には、マットが敷設される施設の名称等が表示される場合がある。すなわち、マットは、施設の案内又は広告の機能を果たすことがある。
【０００３】
一方、携帯電話、ＰＨＳ等の、携帯端末は、近年では優れた撮像機能を備えており、一次元コードや二次元コードを撮像し解析して情報を得ることができる。
【０００４】
このような状況の下で、特許文献１に示されるようなマットが開発されている。
【先行技術文献】
【特許文献】
【０００５】
【特許文献１】実用新案登録第３１３６７４２号
【考案の概要】
【考案が解決しようとする課題】
【０００６】
特許文献１のマットは、具体的構成が不明確であるため、現実的ではない。
【０００７】
本考案は、携帯端末で撮像されると携帯端末に所定の情報を提供できる、現実的なマットを、提供することを目的とする。
【課題を解決するための手段】
【０００８】
本考案は、撮像機能付及び撮像情報解析機能付の携帯端末によって撮像可能な一次元コード又は二次元コードが、表面に付されていることを特徴とするマットである。
【０００９】
本考案のマットは、更に、次の構成（Ａ）、（Ｂ）、（Ｃ）、（Ｄ）、又は（Ｅ）を採用するのが好ましい。
【００１０】
（Ａ）基布にパイル糸がタフトされてなるマット原反と、マット原反の裏面に接合されたマット基材と、を備えており、一部領域又は全部領域のパイル糸が、一次元コード又は二次元コードを示す模様を表出するように、構成されている。
【００１１】
前記構成（Ａ）は、更に、次の構成のいずれか一つを採用するのが好ましい。
(A-1)一次元コード又は二次元コードを示す模様を表出するように、パイル糸が印刷されている。
(A-2)一次元コード又は二次元コードを示す模様を表出するように、パイル糸が染色されている。
(A-3)一次元コード又は二次元コードを示す模様を表出するように、白色、黒色、及び有色の内の２色以上のパイル糸が、タフトされている。
【００１２】
（Ｂ）基布にパイル糸がタフトされてなるマット原反と、マット原反の裏面に接合されたマット基材と、を備えており、マット原反の一部領域が切除されており、切除された領域から、マット基材の表面が露出しており、その露出した表面領域に、一次元コード又は二次元コードを示す模様が付されている。
【００１３】
前記構成（Ｂ）は、更に、次の構成のいずれか一つを採用するのが好ましい。
(B-1)一次元コード又は二次元コードを示す模様が、前記表面領域に、印刷されている。
(B-2)一次元コード又は二次元コードを示す模様が、前記表面領域に、刻まれている。
【００１４】
（Ｃ）一次元コードがバーコードである。
【００１５】
（Ｄ）二次元コードがＱＲコード（登録商標）である。
【００１６】
（Ｅ）二次元コードが、マットが敷設された客体又はマットを敷設した主体の、インターネット上のホームページへのアクセス情報を、含んでいる。
【考案の効果】
【００１７】
本考案によれば、携帯端末で撮像されると携帯端末に所定の情報を提供できる。
【図面の簡単な説明】
【００１８】
【図１】本考案のマットの平面図である。
【図２】図１のII−II断面図である。
【図３】本考案のマットの変形例を示し、図２に相当する図である。
【考案を実施するための形態】
【００１９】
図１は、本考案のマットの平面図である。図２は、図１のII−II断面図である。マット１０は、平面視矩形を有しており、従来一般のマットと同様に、基布１１にパイル糸１２がタフトされてなるマット原反１と、マット原反１の裏面１１１に接合されたマット基材２と、からなっている。したがって、マット１の表面１００は、パイル糸１２で構成されている。
【００２０】
そして、本考案のマット１では、表面１００に二次元コード３が付されている。二次元コード３としては、代表的にはＱＲコード（登録商標）を採用できるが、マイクロＱＲコード（登録商標）、DataMatrix、又はPDF417等を、採用してもよい。
【００２１】
二次元コード３は、撮像機能付の携帯端末によって撮像可能なように、表面１００に付されている。携帯端末は、例えば、携帯電話、ＰＨＳ等である。
【００２２】
ここでは、マット原反１の一部領域のパイル糸１２が、二次元コード３を示す模様を表出している。具体的には、二次元コード３を示す模様は、パイル糸１２が印刷されることによって、又は、パイル糸１２が染色されることによって、又は、白色、黒色、及び有色の内の２色以上のパイル糸１２がタフトされることによって、実現されている。なお、印刷及び染色は、常法によって行うことができる。白色、黒色、及び有色のパイル糸１２は、常法、例えば原液着色によって得ることができる。タフトは、公知のタフト機によって行うことができる。
【００２３】
二次元コード３は、例えば、特定者のインターネット上のホームページへのアクセス情報を、含んでいる。なお、特定者とは、マット１が敷設された施設等すなわちマット１の客体、又は、マット１を敷設した企業等すなわちマット１の主体等である。
【００２４】
なお、撮像機能付の携帯端末は、撮像して得た情報を解析する機能も、備えている。
【００２５】
上記構成のマット１によれば、次のような作用効果を発揮できる。すなわち、歩行者が、マット１の二次元コード３を携帯端末で撮像すると、二次元コード３に含まれている情報が、携帯端末で解析される。よって、歩行者は、解析された情報を利用して、特定の情報源にアクセスできる。
【００２６】
例えば、特定の情報源がマット１の客体のホームページであれば、歩行者は、マット１が敷設されている施設等の情報を、即座に知ることができる。よって、この場合には、施設等を訪れる歩行者の利便性を向上できる。或いは、特定の情報源がマット１の主体のホームページであれば、歩行者は、マット１を敷設した企業等の情報を、即座に知ることができる。よって、この場合には、マット１は、敷設した企業等の情報を歩行者へ知らせることができる広告媒体として、機能できる。
【００２７】
なお、本考案のマットは、次のような変形構成を採用してもよい。
（ａ）二次元コード３を示す模様は、マット原反１の全部領域のパイル糸１２によって表出されてもよい。
【００２８】
（ｂ）二次元コード３を示す模様は、図３に示されるように、マット基材２の露出した表面領域２０１に付されてもよい。図３において、マット原反１は一部領域が切除されており、切除された領域から表面領域２０１が露出している。なお、二次元コード３を示す模様は、表面領域２０１に、印刷されてもよく又は刻まれてもよい。
【００２９】
（ｃ）二次元コード３が含む情報は、マットの客体又は主体の、インターネット上のホームページへのアクセス情報に、限るものではなく、例えば、個体認識番号に関する情報でもよい。
【００３０】
（ｄ）二次元コードの代わりに一次元コードを付してもよい。一次元コードとしては、例えば、バーコードがある。
【産業上の利用可能性】
【００３１】
本考案のマットは、携帯端末で撮像されると携帯端末に所定の情報を提供できるので、産業上の利用価値が大である。
【符号の説明】
【００３２】
１  マット原反  １１  基布  １１１  裏面  １２  パイル糸  ２  マット基材  ２０１  表面領域  ３  二次元コード
【図１】
0003196953.tif 000003
【図２】
0003196953.tif 000004
【図３】
0003196953.tif 000005